(57)【特許請求の範囲】
【請求項１】
コンクリート供試体の端面の表面仕上げに用いるコンクリート供試体作製用コテであって、
底面が略平面であるコテ部と、
前記コテ部により鉛直上方に接続され、コテ部底面からの距離を示す目盛りが設けられた支持棒部と、
前記支持棒部の上方端部に取り付けられたハンドル部とからなることを特徴とするコンクリート供試体作製用コテ。
【請求項２】
前記コテ部を振動可能な振動体を、前記コテ部、支持棒部、ハンドル部の少なくともいずれかに備えることを特徴とする請求項１記載のコンクリート供試体作製用コテ。
【請求項３】
前記コテ部の上面に水準器を備えることを特徴とする請求項１または２のいずれかに記載のコンクリート供試体作製用コテ。
【請求項４】
前記コテ部は、円盤形状を有することを特徴とする請求項１〜３のいずれかに記載のコンクリート供試体作製用コテ。
【請求項５】
コンクリート割裂引張強度試験用の供試体の作製方法において、
コンクリート供試体の端面の表面仕上げに、底面が略平面であるコテ部と、前記コテ部により鉛直上方に接続され、コテ部底面からの距離を示す目盛りが設けられた支持棒部と、前記支持棒部の上方端部に取り付けられたハンドル部とからなるコンクリート供試体作製用コテを用いて、
供試体型枠にコンクリートを打設し、
打設された前記コンクリートの上端面に前記コテ部の底面を当接して前記コンクリートの上端面を平らに均し、
打設された前記コンクリートの上端面に前記コテ部の底面を当接し、前記供試体型枠の上方縁部に対応する位置における前記支持棒部の目盛りの値を読み取り、前記供試体型枠の全長から、読み取られた前記目盛りの値を差し引くことにより、打設された前記コンクリートの長さを算定して、前記コンクリートが所定の長さになるように調節することを特徴とするコンクリート割裂引張強度試験用の供試体の作製方法。
【請求項６】
前記コテ部を振動可能な振動体を、前記コテ部、支持棒部、ハンドル部の少なくともいずれかに備えたコンクリート供試体作製用コテ用いて、
前記供試体型枠に打設された前記コンクリートの上端面に前記コテ部の底面を当接し、前記振動体から発生させた振動を前記コテ部から前記コンクリートに伝播させ、前記コンクリートを締め固めて打設することを特徴とする請求項５記載のコンクリート割裂引張強度試験用の供試体の作製方法。
【請求項７】
前記コテ部の上面に水準器を備えたコンクリート供試体作製用コテ用いて、
打設された前記コンクリートの上端面にコテ部の底面を当接し、前記水準器に内包する気泡の位置を読み取り、前記気泡の位置から前記コンクリートの上端面が水平に成形されているか否かを判定して前記コンクリートの上端面を水平に成形することを特徴とする請求項５または６のいずれかに記載のコンクリート割裂引張強度試験用の供試体の作製方法。
【発明の詳細な説明】
【技術分野】
【０００１】
コンクリート供試体の作製において、型枠内部に打設されたコンクリートの長さを測定可能であるとともに、当該コンクリートの端面の表面仕上げを行うことができる工具及びそれを用いた供試体の作製方法に関する。
【背景技術】
【０００２】
従来より、土木工事や建築工事等におけるコンクリートやモルタル等の打ち込み施工の表面仕上げには、木製や金属製等のコテが用いられる。このようなコテには、例えば、特許文献１に開示されるように、コンクリートやモルタル等の表面を仕上げるコテ部に水受けを設け、コンンクリートの表面仕上げる作業と、コンクリートの表面に浮き出てくる泡や水を除去する作業とを同時に行えるようにしたものがある。
【特許文献１】特開２０００−２３０３１２号公報
【発明の開示】
【発明が解決しようとする課題】
【０００３】
ところで、コンクリート割裂引張試験の供試体を作製するに際しては、割裂引張試験専用の型枠が市販されていないため、割裂引張試験の供試体の長さよりも長い圧縮試験用の型枠をその代替として転用する。すなわち、割裂引張試験の供試体の長さは圧縮試験用の型枠よりも短いため、打設されたコンクリートの上端面の表面を仕上げる際には、型枠の内部にコテを挿入してコンクリートの上端面を水平に均す必要がある。
【０００４】
しかしながら、特許文献１で開示されたコテでは、このような型枠内部のコンクリートの上端面を、精度良く水平に均すことができないため、端面不均一による測定精度の不良を招くおそれがあった。また、供試体の長さはその作製者による目分量で決定されるため、供試体の寸法に個人差が生じ、場合によっては割裂引張試験の試験機の加圧板よりも供試体の長さが長くなることで測定不能となるおそれもあった。
【０００５】
本発明は、上記の点を鑑みてなされたものであり、簡単な構成で、型枠内部に打設されたコンクリートの長さを測定可能であるとともに、当該コンクリートの上端面の表面仕上げが可能であるコンクリート供試体作製用コテ及びそれを用いた供試体の作製方法を提供することを目的とする。
【課題を解決するための手段】
【０００６】
上記の目的を達成するため、本発明は、コンクリート供試体の端面の表面仕上げに用いるコンクリート供試体作製用コテであって、
底面が略平面であるコテ部と、
前記コテ部により鉛直上方に接続され、コテ部底面からの距離を示す目盛りが設けられた支持棒部と、
前記支持棒部の上方端部に取り付けられたハンドル部とからなることを特徴とする（第１の発明）。  
本発明によるコンクリート供試体作製用コテによれば、当該コテを型枠に打設されたコンクリートの上端面に当接し、型枠の上方縁部に対応する位置における支持棒部の目盛りの値を読み取り、型枠の全長から、読み取られた目盛りの値を差し引くことにより、打設されたコンクリートの長さを算定して、コンクリート供試体が所定の長さになるように調節することができる。
【０００７】
第２の発明は、第１の発明において、前記コテ部を振動可能な振動体を、前記コテ部、支持棒部、ハンドル部の少なくともいずれかに備えることを特徴とする。  
本発明によるコンクリート供試体作製用コテによれば、打設されたコンクリートの上端面にコテ部の底面を当接し、振動体から発生させた振動をコテ部からコンクリートに伝播させることにより、コンクリートを締め固めて打設することができる。
【０００８】
第３の発明は、第１又は２のいずれかの発明において、前記コテ部の上面に水準器を備えることを特徴とする。  
本発明によるコンクリート供試体作製用コテによれば、打設されたコンクリートの上端面にコテ部の底面を当接し、水準器に内包する気泡の位置を読み取り、気泡の位置からコンクリートの上端面が水平に成形されているか否かを判定してコンクリートの上端面を水平に成形することができる。
【０００９】
第４の発明は、第１〜３のいずれかの発明において、前記コテ部は、円盤形状を有することを特徴とする。  
本発明によるコテ部によれば、打設されたコンクリートの上端面にコテ部の底面を当接した状態において、その円盤形状のコテ部の縁部を、円筒形型枠の内側側面に回転することなく任意の方向で接地することが可能であるため、コンクリート供試体の端面全域を容易に均すことができる。
【００１０】
第５の発明は、コンクリート割裂引張強度試験用の供試体の作製方法において、コンクリート供試体の端面の表面仕上げに、底面が略平面であるコテ部と、前記コテ部により鉛直上方に接続され、コテ部底面からの距離を示す目盛りが設けられた支持棒部と、前記支持棒部の上方端部に取り付けられたハンドル部とからなるコンクリート供試体作製用コテを用いて、供試体型枠にコンクリートを打設し、打設された当該コンクリートの上端面に前記コテ部の底面を当接して当該コンクリートの上端面を平らに均し、打設された当該コンクリートの上端面に前記コテ部の底面を当接し、前記供試体型枠の上方縁部に対応する位置における前記支持棒部の目盛りの値を読み取り、前記供試体型枠の全長から、読み取られた前記目盛りの値を差し引くことにより、打設された前記コンクリートの長さを算定して、前記コンクリートが所定の長さになるように調節することを特徴とする。
【００１１】
第６の発明は、第５の発明において、前記コテ部を振動可能な振動体を、前記コテ部、支持棒部、ハンドル部の少なくともいずれかに備えたコンクリート供試体作製用コテ用いて、前記供試体型枠に打設された前記コンクリートの上端面に前記コテ部の底面を当接し、前記振動体から発生させた振動を前記コテ部から前記コンクリートに伝播させ、前記コンクリートを締め固めて打設することを特徴とする。
【００１２】
第７の発明は、第５又は６のいずれかの発明において、前記コテ部の上面に水準器を備えたコンクリート供試体作製用コテ用いて、打設された前記コンクリートの上端面にコテ部の底面を当接し、前記水準器に内包する気泡の位置を読み取り、当該気泡の位置から前記コンクリートの上端面が水平に成形されているか否かを判定して前記コンクリートの上端面を水平に成形することを特徴とする。
【発明の効果】
【００１３】
本発明によれば、簡単な構成で、型枠内部に打設されたコンクリートの長さを測定可能であるとともに、当該コンクリートの上端面の表面仕上げが可能であるコンクリート供試体作製用コテ及びそれを用いた供試体の作製方法を提供できる。
【発明を実施するための最良の形態】
【００１４】
以下、本発明に係るコンクリート供試体作製用コテの好ましい一実施形態について図面を用いて詳細に説明する。図１は、本発明の一実施形態に係るコンクリート供試体作製用コテの正面図であり、図２は、図１の上面図である。また、図３は、本発明の一実施形態に係るコンクリート供試体作製用コテを構成するハンドル部の拡大断面図である。
【００１５】
図１に示すように、供試体作製用コテ１０は、コテ部１２と支持棒部１４とハンドル部１６とから構成される。
【００１６】
コテ部１２は、肉厚で円盤形状の金属板であり、その底面に平滑な略平面を有する。また、図２に示すように、コテ部１２の上面には水準器２２が設けられる。
【００１７】
支持棒部１４は、金属製の円柱棒であり、その下端が円盤形状を有するコテ部１２の中心から鉛直上方に接続される。また、その金属棒の外周面にはコテ部１２の底面からの距離を示す目盛り１８が設けられる。
【００１８】
ハンドル部１６は、その外形に手で握り易い程度の外径からなる円筒形状を有し、支持棒１４の上部に接続される。また、図３に示すように、その内部には振動体２４と電池２６とが設置される。振動体２４は、例えば、偏心モーターや圧電素子などの電気で可動する振動子であり、電池２６から電源を供給され、コテ部１２に上下振動を伝える。また、ハンドル部１６の上部には、振動体２４で発生する振動のオンオフの切り替えを行うための電源スイッチ２０が備えられる。
【００１９】
次に、本発明に係るコンクリート供試体作製用コテ１０を用いた、割裂引張強度試験のための供試体の具体的な作製方法について説明する。
【００２０】
図４は、本発明の一実施形態に係るコンクリート供試体作製用コテを用いた供試体の作製方法を表す斜視図であり、図５は、図４の側面矢視図である。
【００２１】
図４に示すように、円筒状の型枠２８にコンクリート３０を打設した後、打設されたコンクリート３０の上端部に供試体作製用コテ１０を当接するといった作業を繰り返しながら供試体を作製していく。
【００２２】
型枠２８には、圧縮強度試験用の供試体の作製用の型枠が転用され、その寸法が、例えば、直径１５ｃｍ、長さ３０ｃｍの円筒状のものを用いる。ただし、本実施形態で作成する割裂引張強度試験用の供試体の寸法は、直径１５ｃｍ、高さ２０ｃｍとする。
【００２３】
コンクリート３０には、日本工業規格（ＪＩＳ  Ａ  １１３２）に規定される所定の選別処理を行ったものを用いる。
【００２４】
ここで、供試体作製用コテ１０を用いて型枠２８にコンクリート３０を打設する際に、ハンドル部１６の電源スイッチ２０をオンに入れ、ハンドル部１６の内部に備えられた振動体２４を振動させることによりこの振動をコテ部１２に伝播させ、振動するコテ部１２の底面をコンクリート３０の上端部に押し当てることにより、打設されたコンクリート３０全体を締め固める。
【００２５】
また、この時、図５に示すように、コテ部１２底面をコンクリート３０の上端面に当接し、型枠２８の上方縁部に対応する位置における支持棒部１４の目盛りＡを読み取り、型枠２８の全長である３０ｃｍから目盛りＡの値を差し引くことにより、打設されたコンクリート３０の長さを算定し、コンクリート３０が所定の長さ（例：２０ｃｍ）に達しているか否かを確認する。
【００２６】
そして、コンクリート３０が長さ２０ｃｍに達した時点で、コンクリート３０の打設を止め、供試体作製用コテ１０を、型枠２８に打設されたコンクリート３０の上端面に当接し、水準器２２に内包する気泡の位置を参照しながらコンクリート３０の上端面を水平に均す。
【００２７】
最後に、コンクリート３０を、日本工業規格（ＪＩＳ  Ａ  １１３２）に規定される所定の時間を経過させて固化させた後、型枠２８を取り外す。
【００２８】
以上、説明したように、本実施形態によれば、供試体作製用コテ１０を、型枠２８に打設されたコンクリート３０の上端面に接地し、型枠２８の上方縁部に対応する位置における支持棒部１４の目盛りＡを読み取り、型枠２８の全長から、読み取られた目盛りＡを差し引くことにより、打設されたコンクリート３０の長さを算定して、コンクリート供試体が所定の長さになるように調節することができる。
【００２９】
また、本実施形態によれば、打設されたコンクリート３０の上端面にコテ部１２の底面を当接し、ハンドル部１６の内部に備える振動体２４から発生させた振動をコテ部１２からコンクリート３０に伝達させることにより、コンクリート３０を締め固めることができる。
【００３０】
また、本実施形態によれば、コテ部１２上面に水準器２２を備えることにより、供試体の端面の仕上げ段階において、打設されたコンクリート３０の上端面にコテ部１２の底面を当接し、水準器２２に内包する気泡の位置を読み取り、気泡の位置からコンクリート３０の上端面が水平に成形されているか否かを判定して、コンクリート３０の上端面を水平に成形することができる。
【００３１】
また、本実施形態によれば、コテ部１２は円盤形状を有しており、その円盤形状のコテ部１２の縁部を、円筒形の型枠２８の内側側面に回転することなく任意の方向で接地することが可能であるため、コンクリート供試体の端面全域を容易に均すことができる。
【００３２】
なお、本実施形態においては、コテ部１２と支持棒１４の素材は金属製であるとしているが、これに限らず、コンクリート３０を締め固める際に、コンクリート３０の上部から荷重及び振動を与えるのに適当な重量をもち、またこの荷重及び振動を支持できるものであれば、木製や強化プラスチックなどで構成されてもよく、また、これらの材質と金属との複合体で構成されてもよい。
【００３３】
また、本実施形態においては、供試体作製用コテ１０全体に振動を生じさせるために、振動体２４と電池２６とによって電気的に可動する偏心モーターや圧電素子などを用いる構成を用いたが、これに限らず、外部から供給される圧縮空気を動力とするエアーハンマーなどを用いる構成にしてもよい。
【００３４】
また、本実施形態においては、振動体２４と電池２６とからなるような自動的に振動を発生する構成を備えなくてもよい。その場合には、供試体作製用コテ１０のハンドル部１６を持ち、上から叩くようにコンクリート３０を締め固める。
【図面の簡単な説明】
【００３５】
【図１】本発明の一実施形態に係るコンクリート供試体作製用コテの正面図である。
【図２】図１の上面図である。
【図３】本発明の一実施形態に係るコンクリート供試体作製用コテのハンドル部の拡大縦断面図である。
【図４】本発明の一実施形態に係るコンクリート供試体作製用コテを用いた供試体の作製方法を表す斜視図である。
【図５】図４の側面矢視図である。
【符号の説明】
【００３６】
１０  供試体作製用コテ
１２  コテ部
１４  支持棒部
１６  ハンドル部
１８  目盛り
２０  電源スイッチ
２２  水準器
２４  振動体
２６  電池
２８  型枠
３０  コンクリート
Ａ    型枠上方縁部に対応する支持棒部の目盛り
【図１】
0004671857.tif 000002
【図２】
0004671857.tif 000003
【図３】
0004671857.tif 000004
【図４】
0004671857.tif 000005
【図５】
0004671857.tif 000006